【誤訳訂正書】
【提出日】平成25年1月4日(2013.1.4)
【誤訳訂正１】
【訂正対象書類名】特許請求の範囲
【訂正対象項目名】全文
【訂正方法】変更
【訂正の内容】
【特許請求の範囲】
【請求項１】
湿気硬化型シリル化ポリマー樹脂組成物であって：
ａ）非アクリルポリマーであって、一般式（１）：
【化１１】
2010520364.tif 000001
を有し、
ここでＲ１が一価のもしくは多価の有機ポリマー基であり、５００から２５，０００グラム／モルの数平均分子量を有し；
Ｒ２の各々が独立して、１から１２個の炭素原子を含有する二価のアルキレン基であり、
Ａ１の各々が独立して、二価の酸素、または構造（−）２ＮＲ３〔式中、Ｒ３は１から１８個の炭素原子を含有するアルキル、アルケニル、アレニル、アリールもしくはアラルキル、−Ｒ２ＳｉＸ１Ｘ２Ｘ３基または水素である〕である置換窒素より選択され、ただし、Ａ１が酸素であるとき、Ａ２は（−）２ＮＲ３であるという条件であり；
Ａ２の各々が独立して、二価の酸素、または構造（−）２ＮＲ３〔式中、Ｒ３は１から１８個の炭素原子を含有するアルキル、アルケニル、アレニル、アリールもしくはアラルキル、−Ｒ２ＳｉＸ１Ｘ２Ｘ３基または水素である〕である置換窒素より選択され、ただし、Ａ２が酸素であるとき、Ａ１は（−）２ＮＲ３であるという条件であり；
Ｘ１の各々が独立してＲＯ−であり、ここでＲは、１から１８個の炭素原子を含有するアルキル、アルケニル、アレニル、アリールもしくはアラルキル基または水素であり；
Ｘ２およびＸ３の各々が独立して、ＲＯ−もしくはＲであり、ここでＲは、１から１８個の炭素原子を含有するアルキル、アルケニル、アレニル、アリールもしくはアラルキル基または水素であり；
下付き文字ａおよびｂの各々が独立して整数であり、ここでａが１、ｂが１から６であり、
そして以下の：
ｉ）少なくとも一つのポリオールと少なくとも一つのポリイソシアネートとを反応させてイソシアネート末端プレポリマーを作製し、そして前記プレポリマーと少なくとも一つの、活性水素官能基を少なくとも一つ含有する加水分解性シランと反応させる（ここで前記ポリオールはグラム当たり０．０２ミリ当量未満の末端のエチレン性不飽和を持つヒドロキシ末端ポリアルキレンオキサイドである）；
ｉｉ）少なくとも一つのポリオールと少なくとも一つのイソシアネート官能基を少なくとも一つ含有する加水分解性シランとを反応させる（ここで前記ポリオールはウレタン基を含有し、かつグラム当たり０．０２ミリ当量未満の末端のエチレン性不飽和を持つヒドロキシ末端ポリアルキレンオキサイドより得られる）；
の少なくとも一つの方法によって調製される非アクリルポリマーと、
ｂ）シリル化アクリレートポリマーであって、一般式（１０）：
【化１２】
2010520364.tif 000002
を有し、
ここで、
各々のＲ６が独立して、１から１２個の炭素原子を含有する一価のアルキル、アレニル、アリールもしくはアラルキル基または水素であり；
Ｒ７の各々が独立して、１から１２個の炭素原子を含有する一価のアルキル、アレニル、アリールもしくはアラルキル基または水素であり；
Ｒ８の各々が、共有結合または１から１２個の炭素原子を含有する二価のアルキレン、アレニレン、アリーレン、およびアラルキレン基であり、かつ任意選択で酸素、窒素、および硫黄からなる群より選択される少なくとも一つのヘテロ原子を含有し；
Ｘ５が各々が独立して、カルボキシラート、シアノ、ヒドロキシル、Ｃｌ−、フェニルもしくは−Ｃ（Ｒ５）＝ＣＨ２基であり、ここで、各々のＲ５は独立して、１から９個の炭素原子を含有する一価のアルキル、アレニル、アリールもしくはアラルキル基または水素であり；
Ｘ６の各々が独立して、一価の−Ｃ（＝Ｏ）Ｏ−Ｒ９基であり、式中、Ｒ９の各々は独立して、１から１２個の炭素原子を含有する一価のアルキル、アレニル、アリールもしくはアラルキル基であり、かつ任意選択で酸素、窒素および硫黄からなる群より選択される少なくとも一つのヘテロ原子を含有し； 
Ｘ７の各々が独立して、一価の−Ｃ（＝Ｏ）Ｏ−Ｒ１０−ＯＨ基であり、式中、Ｒ１０の各々は独立して、１から１２個の炭素原子を含有する二価のアルキレン、アレニレン、アリーレンもしくはアラルキレン基であり、かつ任意選択で酸素、窒素および硫黄からなる群より選択される少なくとも一つのヘテロ原子を含有し；
Ｘ８の各々が独立して、加水分解性シリル基とウレタン結合基を含有し、一般式（１１）：
【化１３】
2010520364.tif 000003
を有する、一価のヒドロカルビル基であり、
ここで、
Ｒ２が独立して、１から１２個の炭素原子を含有する二価のアルキレン基であり、
Ｘ１の各々が独立してＲＯ−であり、ここでＲは、１から１８個の炭素原子を含有するアルキル、アルケニル、アレニル、アリールもしくはアラルキル基または水素であり；
Ｘ２およびＸ３の各々が独立して、ＲＯ−もしくはＲであり、ここでＲは、１から１８個の炭素原子を含有するアルキル、アルケニル、アレニル、アリールもしくはアラルキル基または水素であり；
Ｒ１１の各々が独立して、１から１８個の炭素元素を含有する二価のアルキレン、アレニレン、アリレーンもしくはアラルキレン基または水素であり、かつ任意選択で、酸素、窒素、および硫黄からなる群より選択される、少なくとも一つのヘテロ原子を含有し；
Ａ１が酸素であり；Ａ３およびＡ４が−ＮＨ−であり；それぞれのＡ２が二価の酸素、硫黄、もしくは構造（−）２ＮＲ３〔式中、Ｒ３は、１から１８個の炭素原子を含有するアルキル、アルケニル、アレニル、アリールもしくはアラルキル基、水素または−Ｒ２ＳｉＸ１Ｘ２Ｘ３である〕である置換窒素であり、ただし、ｃが０のとき、Ａ２が−ＮＨ−であるという条件であり；
Ｘ９の各々が、独立して、加水分解性のシリル基、ウレタン基、およびエステル結合基を含有し、一般式（１２）：
【化１４】
2010520364.tif 000004
を有する一価のヒドロカルボニル基であり、
ここで、
Ｒ２が独立して、１から１２個の炭素原子を含有する二価のアルキレン基であり、
Ｒ１１の各々が独立して、１から１８個の炭素元素を含有する二価のアルキレン、アレニレン、アリレーンもしくはアラルキレン基または水素であり、かつ任意選択で、酸素、窒素、および硫黄からなる群より選択される、少なくとも一つのヘテロ原子を含有し；
Ｘ１の各々が独立してＲＯ−であり、ここでＲは、１から１８個の炭素原子を含有するアルキル、アルケニル、アレニル、アリールもしくはアラルキル基または水素であり；
Ｘ２およびＸ３の各々が独立して、ＲＯ−もしくはＲであり、ここでＲは、１から１８個の炭素原子を含有するアルキル、アルケニル、アレニル、アリールもしくはアラルキル基または水素であり；
Ｒ１０が、１から１２個の炭素原子を含有する二価のアルキレン、アレニレン、アリーレンもしくはアラルキレン基であり、かつ任意選択で、酸素、窒素、および硫黄からなる群より選択される少なくとも一つのヘテロ原子を含有し；Ａ１は酸素であり；Ａ３およびＡ４は−ＮＨ−であり；それぞれのＡ２は二価の酸素、硫黄、もしくは構造（−）２ＮＲ３〔式中、Ｒ３は、１から１８個の炭素原子を含有するアルキル、アルケニル、アレニル、アリールもしくはアラルキル基、−Ｒ２ＳｉＸ１Ｘ２Ｘ３または水素である〕である置換窒素であり、ただしｄが０の時、Ａ２は−ＮＨ−という条件であり；そして、
ｃ、ｄ、ｍ、ｎ、ｏ、ｐ、ｑおよびｒの各々が整数であり、ここで、ｃは０もしくは１であり、ｄは０もしくは１であり、ｍは０から５００であり、ｎは０から５００であり、ｏは０から５００であり、ｐは０から５００であり、ｑは０から５００であり、そしてｒは０から５００であり、ただし、ｑとｒとの合計が１より大きい、ｑはｎと等しいかもしくはそれより小さい、かつｒがｐと等しいかもしくはそれよりも小さいという条件である、
シリル化アクリレートポリマーと、
ｃ）少なくとも一つの加水分解性のケイ素化合物と；
を含有する、組成物。
【請求項２】
前記イソシアネート末端プレポリマーが一般式（２）：
Ｒ１−［−（Ｎ＝Ｃ＝Ｏ）ａ］ｂ        （２）
を持ち、
ここで、Ｒ１が５００から２５，０００グラム／モルの数平均分子量を持つ一価のもしくは多価の有機ポリマー基であり、ｂが１から６であり、そしてａが１であり、ただし、Ｒ１基がポリオールとイソシアネート基との反応の結果としてウレタン基を含有しているという条件である、請求項１に記載の組成物。
【請求項３】
前記活性水素官能基を少なくとも一つ含有する加水分解性のシランは一般式（３）：
【化１５】
2010520364.tif 000005
を有し、
ここで、Ｒ２が１から１２個の炭素原子を含有する二価のアルキレン基であり；
Ｘ１が独立してＲＯ−であり、ここでＲは、１から１８個の炭素原子を含有するアルキル、アルケニル、アレニル、アリールもしくはアラルキル基または水素であり；
Ｘ２およびＸ３の各々が独立して、ＲＯ−もしくはＲであり、ここで各々のＲは独立して、１から１８個の炭素原子を含有するアルキル、アルケニル、アレニル、アリールもしくはアラルキル基または水素であり；
Ｙ１が二価の酸素もしくは（−）２ＮＲ３基であり、式中、Ｒ３は１から１８個の炭素原子を含有する、アルキル、アルケニル、アレニルもしくはアラルキル基、−Ｒ２ＳｉＸ１Ｘ２Ｘ３または水素であり、ここでＲ２は１から１２個の炭素原子を含有する二価のアルキレン基である、請求項１に記載の組成物。
【請求項４】
前記イソシアネート官能基を少なくとも一つ含有する加水分解性シランは、一般式（７）：
ＯＣＮ−Ｒ２−ＳｉＸ１Ｘ２Ｘ３    （７）
を有し、
ここで、Ｒ２が１から１２個の炭素原子を含有する二価のアルキレン基であり；
Ｘ１がＲＯ−であり、ここでＲは、１から１８個の炭素原子を含有するアルキル、アルケニル、アレニル、アリールもしくはアラルキル基または水素であり；
Ｘ２およびＸ３が、ＲＯ−もしくはＲであり、ここで各々のＲは独立して、１から１８個の炭素原子を含有するアルキル、アルケニル、アレニル、アリールもしくはアラルキル基または水素である、請求項１に記載の組成物。
【請求項５】
前記シリル化アクリルポリマー、すなわち成分（ｂ）が、以下の：
ａ）少なくとも一つのヒドロキシル含有アクリレートポリマーと少なくとも一つの、イソシアネート官能基を少なくとも一つ含有する加水分解性シランとを反応させる；
ｂ）少なくとも一つのヒドロキシル含有アクリレートポリマーと少なくとも一つのポリイソシアネートとを反応させ、そしてここで作製された化合物と少なくとも一つの、活性水素官能基を少なくとも一つ含有する加水分解性シランとを反応させる；
の少なくとも一つの方法によって作製される、請求項１に記載の組成物。
【請求項６】
ヒドロキシル含有アクリレートポリマーが一般式（１３）：
【化１６】
2010520364.tif 000006
を有し、
ここで、
Ｒ６が、水素、または、１から１２個の炭素原子を含有する一価のアルキル、アレニル、アリールもしくはアラルキル基であり；
Ｒ７の各々が独立して、水素、または、１から１２個の炭素原子を含有する一価のアルキル、アレニル、アリールもしくはアラルキル基であり；
Ｒ８の各々が、共有結合、または１から１２個の炭素原子を含有する二価のアルキレン、アレニレン、アリーレンもしくはアラルキレン基であり、かつ任意選択で酸素、窒素、および硫黄からなる群より選択される少なくとも一つのヘテロ原子を含有し；
Ｒ９の各々が、独立して、１から１２個の炭素原子を含有する一価のアルキル、アレニル、アリールもしくはアラルキル基であり、かつ任意選択で酸素、窒素、および硫黄からなる群より選択される少なくとも一つのヘテロ原子を含有し；
Ｒ１０の各々が、１から１２個の炭素原子を含有する二価のアルキレン、アレニレン、アリーレンもしくはアラルキレン基であり、かつ任意選択で酸素、窒素、および硫黄からなる群より選択される少なくとも一つのヘテロ原子を含有し；
Ｘ５の各々が独立して、カルボキシラート、シアノ、ヒドロキシル、Ｃｌ−、フェニル、−Ｃ（Ｒ５）＝ＣＨ２でありここでＲ５は独立して、１から９個の炭素原子を含有する一価のアルキル、アレニル、アリールもしくはアラルキル基または水素であり；
ｍ、ｎ、ｏ、およびｐの各々が整数であり、ここで、ｍは０から５００であり、ｎは０から５００であり、ｏは０から５００であり、そしてｐは０から５００であり、ただし、ｏとｐとの合計が１より大きいという条件である、請求項５に記載の組成物。
【請求項７】
前記ヒドロキシル含有アクリルポリマーが、２−ヒドロキシエチルアクリレート、３−ヒドロキシプロピルアクリレート、６−ヒドロキシ−２−エチルヘキシルアクリレート、メチルアクリレート、エチルアクリレート、ブチルアクリレート、２−エチルヘキシルアクリレート、フェニルアクリレート、２−ヒドロキシエチルメタクリラート、３−ヒドロキシプロピルメタクリラート、６−ヒドロキシ−２−エチルヘキシルメタクリラート、メチルメタクリラート、エチルメタクリラート、ブチルメタクリラート、２−エチルヘキシルメタクリラート、フェニルメタクリラート、アクリル酸、メタクリル酸、２−プロペン酸、２−ブテン酸、３−ブテン酸、４−ビニル安息香酸、スチレン、３−ビニルトルエン、アクリロニトリル、酢酸ビニル、プロピオン酸ビニル、安息香酸ビニル、アリルアルコール、メタリルアルコール、塩化アリル、塩化メタリルからなる群より選択される少なくとも一つのモノマーから作製される、請求項６に記載の組成物。
【請求項８】
前記イソシアネート官能基を少なくとも一つ含有する加水分解性シランが、一般式（７）：
ＯＣＮ−Ｒ２−ＳｉＸ１Ｘ２Ｘ３    （７）
を有し、
ここで、ここで、Ｒ２が１から１２個の炭素原子を含有する二価のアルキレン基であり；
Ｘ１がＲＯ−であり、ここでＲは、１から１８個の炭素原子を含有するアルキル、アルケニル、アレニル、アリールもしくはアラルキル基または水素であり；
Ｘ２およびＸ３が、ＲＯ−もしくはＲであり、ここで各々のＲは独立して、１から１８個の炭素原子を含有するアルキル、アルケニル、アレニル、アリールもしくはアラルキル基または水素である、請求項５に記載の組成物。
【請求項９】
前記ポリイソシアネートが、２，４−トルエンジイソシアネート、２，６−トルエンジイソシアネート、４，４’−ジフェニルメタンジイソシアネート、イソホロンジイソシアネート、ジシクロヘキシルメタン−４，４’−ジイソシアネート、ジフェニルメタン−ジイソシアネート、イソホロンジイソシアネートからなる群より選択される少なくとも一つである、請求項５に記載の組成物。
【請求項１０】
前記活性水素官能基を少なくとも一つ含有する加水分解性シランが、一般式（３）：
【化１７】
2010520364.tif 000007
を有し、
ここで、Ｒ２が１から１２個の炭素原子を含有する二価のアルキレン基であり；
Ｘ１がＲＯ−であり、ここでＲは、１から１８個の炭素原子を含有するアルキル、アルケニル、アレニル、アリールもしくはアラルキル基または水素であり；
Ｘ２およびＸ３が、ＲＯ−もしくはＲであり、ここで各々のＲは独立して、１から１８個の炭素原子を含有するアルキル、アルケニル、アレニル、アリールもしくはアラルキル基または水素であり；
Ｙ１が二価の酸素もしくは（−）２ＮＲ３基であり、式中、Ｒ３は１から１８個の炭素原子を含有する、アルキル、アルケニル、アレニルもしくはアラルキル基、−Ｒ２ＳｉＸ１Ｘ２Ｘ３または水素であり、ここでＲ２は１から１２個の炭素原子を含有する二価のアルキレン基である、請求項５に記載の組成物。
【請求項１１】
Ｒ７が水素もしくはメチルであり；Ｒ８が共有結合であり；Ｒ９が１から１０個の炭素原子のアルキルもしくはアリール基であり；Ｒ１０が１から１２個の炭素原子のアルキレン基であり；Ｘ５がフェニル、シアノ、クロロ、カルボキシラート、もしくは（−Ｃ（Ｃ＝Ｏ）２ＯＨ）であり；ｍが０から３００であり、ｎが０から３００であり、ｏが０から３００であり、ｐが０から３００であり、ｑが０から２００であり、そしてｒが０から２００であり、ただし、ｑとｒとの合計が１と等しいかもしくはそれより大きいという条件である、請求項１に記載の組成物。
【請求項１２】
前記加水分解性のケイ素化合物、すなわち成分（ｃ）が、アルコキシ基が１から６個の炭素原子を含有する酸縮合テトラアルコキシシランもしくは塩基縮合テトラアルコキシシラン；ヒドロカルビル基が１から８個の炭素原子を含有し、そしてアルコキシ基が１から６個の炭素原子を含有する酸縮合ヒドロカルビルトリアルコキシシランもしくは塩基縮合ヒドロカルビルトリアルコキシシラン；テトラアルコキシシランとヒドロカルビルトリアルコキシシランとの混合物の酸縮合物もしくは塩基縮合物からなる群より選択される少なくとも一つである、請求項１に記載の組成物。
【請求項１３】
成分（ａ）が、全組成物の５から９５重量パーセントの範囲の量で存在する、請求項１に記載の組成物。
【請求項１４】
成分（ａ）が、全組成物の５０から８５重量パーセントの範囲の量で存在する、請求項１に記載の組成物。
【請求項１５】
成分（ｂ）が、全組成物の２０から４０重量パーセントの範囲の量で存在する、請求項１に記載の組成物。
【請求項１６】
成分（ａ）が、−２０℃より高くないガラス転移温度を有する、請求項１に記載の組成物。
【請求項１７】
成分（ｂ）が、少なくとも１℃のガラス転移温度を有する、請求項１に記載の組成物。
【請求項１８】
成分（ｂ）が、少なくとも１０℃のガラス転移温度を有する、請求項１に記載の組成物。
【請求項１９】
成分（ａ）が、少なくとも一つのメトキシシリル基を含有し、成分（ｂ）が、少なくとも一つのエトキシシリル基を含有する、請求項１に記載の組成物。
【請求項２０】
前記シリル化アクリレートポリマー（ｂ）が４０重量パーセントまでの溶媒をさらに含有する、請求項１に記載の組成物。
【請求項２１】
前記シリル化アクリレートポリマー（ｂ）が２０重量パーセントまでの溶媒をさらに含有する、請求項１に記載の組成物。
【請求項２２】
前記溶媒が、ｎ−ブチルアセタート、ｎ−ブチルアセタート、メチルｎ−アミルケトン、ＰＭアセタート、キシレン、エチルベンゼン、ａｒｏｍａｔｉｃ１００（ＨｉＳｏｌ１０）、トルエン、ｃｏｎｏｓｏｌ、Ａｌｉｐｈａｔｉｃ  Ｓｏｌｖｅｎｔ  ９０およびそれらの混合物からなる群より選択される、請求項２０に記載の組成物。
【請求項２３】
湿気硬化型シリル化ポリマー樹脂を作製するためのプロセスであって：
ａ）請求項１に記載の非アクリルポリマーと、ヒドロキシルアクリレートポリマーとを混合するステップと；
ｂ）（ａ）において形成される組成物と、少なくとも一つの、イソシアネート官能基を少なくとも一つ含有する加水分解性シランとを反応させるステップと、
を含有する、プロセス。
【請求項２４】
湿気硬化型シリル化ポリマー樹脂を作製するプロセスであって、
少なくとも一つのイソシアネート末端プレポリマーであって、
ａ）一般式（２）：
Ｒ１−［−（Ｎ＝Ｃ＝Ｏ）ａ］ｂ        （２）
を持ち、
ここでＲ１が一価のもしくは多価の有機ポリマー基であり、ａが１であり、そしてｂが１から６であり、ただし、Ｒ１が少なくとも一つのウレタン基を含有し、かつ５００〜２５，０００グラム／モルの数平均分子量を持ちつ有機ポリマー基であり、前記イソシアネート末端プレポリマーがグラム当たり０．０２ミリ当量未満の末端のエチレン性不飽和を持つヒドロキシ末端ポリアルキレンオキサイドと少なくとも一つのポリイソシアネートとの反応産物である、少なくとも一つのイソシアネート末端プレポリマーと、
請求項６に記載のヒドロキシル含有アクリレートポリマーとポリイソシアネートとを反応させることによって形成される化合物とを混合するステップと、
ｂ）ステップ（ａ）で形成される組成物と、少なくとも一つの、活性水素基を少なくとも一つ含有する加水分解性シランであって、一般式（３）：
【化１８】
2010520364.tif 000008
を有し、
式中、Ｒ２が１から１２個の炭素原子を含有する二価のアルキレン基であり；
Ｘ１がＲＯ−であり、ここでＲは、１から１８個の炭素原子を含有するアルキル、アルケニル、アレニル、アリールもしくはアラルキル基または水素であり；
Ｘ２およびＸ３の各々が独立して、ＲＯ−もしくはＲであり、ここで各々のＲは独立して、１から１８個の炭素原子を含有するアルキル、アルケニル、アレニル、アリールもしくはアラルキル基または水素であり；
Ｙ１が二価の酸素もしくは（−）２ＮＲ３基であり、式中、Ｒ３は１から１８個の炭素原子を含有する、アルキル、アルケニル、アレニルもしくはアラルキル基、−Ｒ２ＳｉＸ１Ｘ２Ｘ３または水素であり、ここでＲ２は１から１２個の炭素原子を含有する二価のアルキレン基である、
加水分解性シランとを反応させるステップを含有する、プロセス。
【請求項２５】
硬化した請求項１に記載の組成物。
【請求項２６】
硬化した請求項２３に記載の組成物。
【請求項２７】
硬化した請求項２４に記載の組成物。
【請求項２８】
請求項１に記載の組成物を含有する接着剤。
【請求項２９】
請求項１に記載の組成物を含有する封止剤。
【請求項３０】
請求項１に記載の組成物を含有するコーティング剤。
【誤訳訂正２】
【訂正対象書類名】明細書
【訂正対象項目名】００４７
【訂正方法】変更
【訂正の内容】
【００４７】
本発明の一実施態様によると、
シリル化アクリルポリマー、すなわち成分（ｂ）は一般式（１０）：
【化７】
2010520364.tif 000009
を有し、
ここで、
Ｒ６は、水素もしくは、アルキル、アレニル、アリール、およびアラルキルからなる群より選択される１から１２個の炭素原子を含有する一価のヒドロカルビル基であり、任意選択で酸素、窒素、および硫黄からなる群より選択される少なくとも一つのヘテロ原子を含有し；
Ｒ７の各々は、水素もしくは、アルキル、アレニル、アリール、およびアラルキルからなる群より選択される１から１２個の炭素原子を含有する一価のヒドロカルビル基であり、任意選択で酸素、窒素、および硫黄からなる群より選択される少なくとも一つのヘテロ原子を含有し；
Ｒ８の各々は、共有結合、もしくはアルキレン、アレニレン、アリーレン、およびアラルキレンからなる群より選択される１から１２個の炭素原子を含有する二価のヒドロカルビル基であり、任意選択で酸素、窒素、および硫黄からなる群より選択される少なくとも一つのヘテロ原子を含有し；
Ｘ５の各々は独立して、カルボキシラート（−Ｃ（＝Ｏ）Ｏ−）、シアノ（−ＣＮ）、ヒドロキシル（ＯＨ）、ハロ（Ｃｌ−、Ｂｒ−、およびＩ−）、フェニル（Ｃ６Ｈ５）、およびビニル（−Ｃ（Ｒ５）＝ＣＨ２）からなる群より選択される有機官能基であり、ここで、Ｒ５は上述の意味を持ち；
Ｘ６の各々は独立して、エステル結合基を含有する一価のヘテロカルビル基、−Ｃ（＝Ｏ）Ｏ−Ｒ９であり、式中、Ｒ９の各々は独立して、アルキル、アレニル、アリール、およびアラルキルからなる群より選択される１から１２個の炭素原子を含有する一価のヒドロカルビル基であり、任意選択で酸素、窒素、および硫黄からなる群より選択される少なくとも一つのヘテロ原子を含有し； 
Ｘ７の各々は独立して、ヒドロキシ基とエステル結合基を含有する一価のヘテロカルビル基、−Ｃ（＝Ｏ）Ｏ−Ｒ１０−ＯＨであり、式中、Ｒ１０の各々は独立して、アルキレン、アレニレン、アリーレン、およびアラルキレンからなる群より選択される１から１２個の炭素原子を含有する二価のヒドロカルビレン基であり、任意選択で酸素、窒素、および硫黄からなる群より選択される少なくとも一つのヘテロ原子を含有し；
Ｘ８の各々は独立して、加水分解性シリル基とウレタン結合基を含有し、一般式（１１）：
【化８】
2010520364.tif 000010
を有する、一価のヒドロカルビル基であり、
ここで、Ｒ２、Ｘ１、Ｘ２、およびＸ３は上述の意味を持ち；Ｒ１１は、アルキレン、アレニレン、アリレーン、およびアラルキレンからなる群より選択される、１から１８個の炭素元素を含有する二価のヒドロカルビレン基であり、任意選択で、酸素、窒素、および硫黄からなる群より選択される、少なくとも一つのヘテロ原子を含有し；Ａ１は酸素であり；Ａ３およびＡ４は−ＮＨ−であり；それぞれのＡ２は二価の酸素、硫黄、もしくは構造（−）２ＮＲ３〔式中、Ｒ３は水素、アルキル、アルケニル、アレニル、アリール、アラルキル、もしくは−Ｒ２ＳｉＸ１Ｘ２Ｘ３であり、ここで、水素以外のＲ３は１から１８個の炭素原子を含有する〕である置換窒素であり、ただし、ｃが０のとき、Ａ２が−ＮＨ−であるという条件であり；Ｘ９の各々は独立して、加水分解性のシリル基、ウレタン基、およびエステル結合基を含有し、一般式（１２）：
【化９】
2010520364.tif 000011
を有する一価のヒドロカルボニル基であり、
ここで、Ｒ２、Ｒ１１、Ｘ１、Ｘ２、およびＸ３は上述の意味を持ち；Ｒ１０は、アルキレン、アレニレン、アリーレン、およびアラルキレンからなる群より選択される、約１から１２個の炭素原子を含有する二価のヒドロカルビル基であり、任意選択で、酸素、窒素、および硫黄からなる群より選択される少なくとも一つのヘテロ原子を含有し；Ａ１は酸素であり；Ａ３およびＡ４は−ＮＨ−であり；それぞれのＡ２は二価の酸素、硫黄、もしくは構造（−）２ＮＲ３〔式中、Ｒ３は水素、アルキル、アルケニル、アレニル、アリール、アラルキル、もしくは−Ｒ２ＳｉＸ１Ｘ２Ｘ３であり、ここで、水素以外のＲ３は１から１８個の炭素原子を含有する〕である置換窒素であり、ただしｄが０の時、Ａ２は−ＮＨ−という条件であり；そして、
ｃ、ｄ、ｍ、ｎ、ｏ、ｐ、ｑおよびｒの各々は整数であり、ここで、ｃは０もしくは１であり、ｄは０もしくは１であり、ｍは０から約５００であり、ｎは０から約５００であり、ｏは０から約５００であり、ｐは０から約５００であり、ｑは０から約５００であり、そしてｒは０から約５００であり、ただし、ｑとｒとの合計が１より大きい、ｑはｎと等しいかもしくはそれより小さい、かつｒがｐと等しいかもしくはそれよりも小さいという条件である。